(57)【要約】　　　（修正有）【課題】従来の往復式封筒を改良して簡単容易に返信封筒を作成して郵送できるようにする。【解決手段】送信用と返信用とを兼ね備えた往復式郵送用の封筒において、前記封筒裏側の上端に指先で開封可能な半円形状の開封部４を形成しかつ封筒の裏側が上面になるようにフラップ部分８の上面に糊り付けしてなる往復式封筒本体を設け、該封筒本体の開口部を指先を左右に移動させて開封しかつフラップ部分を糊り付けして返信することを特徴とする送返信兼備の往復式郵送方法とその使用封筒の提供。【選択図】　図１（ｂ）
2004091048.tif 000002
【特許請求の範囲】
【請求項１】
封筒の中に入れたアンケートの回答用紙やダイレクトメールで返事などを求める通知文を送信しかつ返信する郵送方法において、前記送信用封筒の上端開封部を完全に切り取らずに開封して通知文を封筒の中から取り出し、該送信用封筒を返信用の封筒として再利用すること特徴とする送返信兼備の往復式郵送方法。
【請求項２】
前項記載の往復式郵送方法において、往復式封筒本体の上端面又は側端面の裏側に開封部を設け、該開封部に指先を差し込み左右に移動させてフラップ部分から裏側を剥がして開封しかつ前記フラップ部分を広げて裏側の上面に帖着してなる請求項１記載の送返信兼備の往復式郵送方法。
【請求項３】
請求項１記載の往復式郵送方法において、往復式封筒本体の上端面又は側端面の裏側に開封部を設け、該開封部のフラップ部分を剥し取りかつ該フラップ部分を内側に折り込み裏側を帖着してなる請求項１及び２記載の送返信兼備の往復式郵送方法。
【請求項４】
請求項１記載の往復式郵送方法において、往復式封筒本体の素材に透明材を用いかつ表側にフラップ部分を設けて裏側に帖着し、該フラップ部分を開封時に開封しかつフラップ部分を切断し裏側に帖着してなる請求項１記載の送返信兼備の往復式郵送方法。
【請求項５】
送信用と返信用とを兼ね備えた往復式郵送用の封筒において、前記封筒裏側の上端に指先で開封可能な半円形状の開封部を形成しかつ封筒の裏側が上面になるようにフラップ部分の上面に糊付けしてなる往復式封筒本体を設け、該封筒本体の開口部を指先を左右に移動させて開封しかつフラップ部分を糊付けして返信することを特徴とする送返信兼備の往復式郵送用封筒。
【請求項６】
請求項５記載の往復式郵送用封筒において、前記封筒表側の上端に有するフラップ部分にミシン目を設けかつ封筒裏側の上端にフラップ部分を設けてなる請求項５記載の送返信兼備の往復式郵送用封筒。
【請求項７】
請求項５記載の往復式郵送用封筒において、前記封筒本体を開封しかつ裏がえしにして糊付けてなる返信用の封筒にする請求項２及び５記載の送返信兼備の往復式郵送用封筒。
【請求項８】
請求項５記載の往復式郵送用封筒において、前記封筒本体の素材に透明材を用いかつ送信用の裏側上端面にフラップ部分を形成し、更にフラップ部分を切り取り返信用の裏側をセパレーターにて帖り付けてなる請求項５記載の送返信兼備の往復式郵送用封筒。
【発明の詳細な説明】
【０００１】
【発明の属する技術分野】
本発明は往復式郵送方法とそれに使用する封筒に関するが、詳しくは送信用の封筒を返信用の封筒として再利用する送返信兼備の往復式郵送方法とその使用封筒に関するものである。
【０００２】
【従来の技術】
従来から一般的に使用されている往復ハガキや往復封筒は、例えば図８（ａ）から図８（ｂ）に示すようなものがある。往復ハガキの場合は、送信ハガキ７２と通信ハガキ７３との中央部に切り取り線を入れた往復用ハガキ本体７１を設け、この往復用ハガキ本体７１の切り取り部分をハサミなどで切り取り返信ハガキ７３を郵送する方法であり、また往復封筒の場合は返信先を記入した返信用封筒本体８１を小さく折り畳み同型の送信用の封筒に入れて郵送して送信される方法である。
【０００３】
このような従来の往復式封筒による郵送方法の不便さを解決するため、本願出願人が開発して特願２００２−０３５７４９により開示されたものが図９に示されている。この発明は封筒として出願されているが、送信用の封筒にミシン目を設けて開封するところに特徴を有するものである。すなわち、この封筒は封筒のフラップを大きく形成しこのフラップに１本以上のミシン目若しくは切り取り線を入れるとともに大きく形成したフラップの裏面若しくはフラップに対応する封筒本体に返信用宛名を印刷し、その宛名をフラップで覆い水糊などの糊を塗布し封止して送信する封筒で封止されたフラップの１本以上のミシン目若しくは切り取り線を切り離して返信用宛名を露出させて返信用封筒を形成することを特徴とする封筒である。また、その具体的な構成は送返信用封筒本体９１の表側９２と裏側９３とが袖部９４とフラップ９５とで構成されている。このように構成された封筒を使用する場合は、初めに発送する通常の使用状態では左右の袖部９４を折り曲げその上に裏側９３を折り返して封筒を形成し、ついで表側９２に宛名を書いて通信文書などを入れてからフラップ９５を折って封をする。また、表側９２の裏面には返信先の宛名を印刷するとともにフラップ９５の先端近くにミシン目を設けかつ袖部９４の先端にミシン目９６を設け、更にミシン目９６の先端側にミシン目９６平行に水糊などの糊９７を塗布して乾燥させる。更に、返送する場合は各ミシン目９６を切り離して封筒を一枚のシート状に開き、通常状態で裏側９３を表側９２として裏返し袖部９４を裏側９３に折り返した上から裏側９３を折り返し、更に袖部９４と裏側９３とを当接して袖部９４の糊９７で裏側９３に接着させて返信用の封筒を作成する。
【０００４】
【発明が解決しようとする課題】
このような従来方法による往復式による封筒を使用する郵送方法では、返信封筒を作成するのに手間がかかりすぎて実用化を図るうえで多く問題があり、これらの問題点を解決するところに本発明が解決しようとする課題を有する。
【０００５】
【課題を解決するための手段】
本発明は上記の如き問題を解決するために改良したものであって、封筒の中に入れたアンケートの回答用紙やダイレクトメールで返事などを求める通知文を送信しかつ返信する郵送方法において、前記送信用封筒の上端開封部を完全に切り取らずに開封して通知文を封筒の中から取り出し、該送信用封筒を返信用の封筒として再利用すること特徴とする送返信兼備の往復式郵送方法の提供にあり、また前記の往復式郵送方法において往復式封筒本体の上端面又は側端面の裏側に開封部を設け該開封部に指先を差し込み左右に移動させてフラップ部分から裏側を剥がして開封しかつ前記フラップ部分を広げて裏側の上面に帖着してなる送返信兼備の往復式郵送方法の提供にあり、また前記の往復式郵送方法において往復式封筒本体の上端面又は側端面の裏側に開封部を設け、該開封部のフラップ部分を剥し取りかつ該フラップ部分を内側に折り込み裏側を帖着してなる送返信兼備の往復式郵送方法の提供にあり、また前記の往復式郵送方法において往復式封筒本体の素材に透明材を用いかつ表側にフラップ部分を設けて裏側に帖着し該フラップ部分を開封時に開封しかつフラップ部分を切断し裏側に帖着してなる送返信兼備の往復式郵送方法の提供にある。
【０００６】
また本発明は、送信用と返信用とを兼ね備えた往復式郵送用の封筒において、前記封筒裏側の上端に指先で開封可能な半円形状の開封部を形成しかつ封筒の裏側が上面になるようにフラップ部分の上面に糊付けしてなる往復式封筒本体を設け、該封筒本体の開口部を指先を左右に移動させて開封しかつフラップ部分を糊り付けして返信することを特徴とする送返信兼備の往復式郵送用封筒の提供にあり、また前記の往復式郵送用封筒において前記封筒表側の上端に有するフラップ部分にミシン目を設けかつ封筒裏側の上端にフラップ部分を設けてなる送返信兼備の往復式郵送用封筒の提供にあり、また前記の往復式郵送用封筒において前記封筒本体を開封しかつ裏がえしにして糊付けてなる返信用の封筒にする送返信兼備の往復式郵送用封筒の提供にあり、また前記の往復式郵送用封筒において前記封筒本体の素材に透明材を用いかつ送信用の裏側上端面にフラップ部分を形成し更にフラップ部分を切り取り返信用の裏側をセパレーターにて帖り付けてなる送返信兼備の往復式郵送用封筒の提供にある。
【０００７】
【発明の実施の形態】
本発明の実施形態は、封筒の中に入れたアンケートの回答用紙やダイレクトメールで返事などを求める通知文を送信しかつ返信する郵送方法において、前記送信用封筒の上端開封部を完全に切り取らずに開封して通知文を封筒の中から取り出し、該送信用封筒を返信用の封筒として再利用すること特徴とする送返信兼備の往復式郵送方法であり、また前記の往復式郵送方法において往復式封筒本体の上端面又は側端面の裏側に開封部を設け、該開封部に指先を差し込み左右に移動させてフラップ部分から裏側を剥がして開封しかつ前記フラップ部分を広げて裏側の上面に帖着してなるの送返信兼備の往復式郵送方法であり、また前記の往復式郵送方法において往復式封筒本体の上端面又は側端面の裏側に開封部を設け該開封部のフラップ部分を剥し取りかつ該フラップ部分を内側に折り込み裏側を帖着してなる送返信兼備の往復式郵送方法であり、また前記の往復式郵送方法において往復式封筒本体の素材に透明材を用いかつ表側にフラップ部分を設けて裏側に帖着し該フラップ部分を開封時に開封しかつフラップ部分を切断し裏側に帖着してなる送返信兼備の往復式郵送方法であるから、従来の往復式の封筒を用いて返信する方法よりも簡便で手軽な返信をすることが可能となる。
【０００８】
また本発明の実施形態は、送信用と返信用とを兼ね備えた往復式郵送用の封筒において、前記封筒裏側の上端に指先で開封可能な半円形状の開封部を形成しかつ封筒の裏側が上面になるようにフラップ部分の上面に糊付けしてなる往復式封筒本体を設け、該封筒本体の開口部を指先を左右に移動させて開封しかつフラップ部分を糊付けして返信することを特徴とする送返信兼備の往復式郵送用封筒であり、また前記の往復式郵送用封筒において前記封筒表側の上端に有するフラップ部分にミシン目を設けかつ封筒裏側の上端にフラップ部分を設けてなる送返信兼備の往復式郵送用封筒であり、また前記の往復式郵送用封筒において前記封筒本体を開封しかつ裏がえしにして糊付けてなる返信用の封筒にする送返信兼備の往復式郵送用封筒であり、また前記の往復式郵送用封筒において前記封筒本体の素材に透明材を用いかつ送信用の裏側上端面にフラップ部分を形成し、更にフラップ部分を切り取り返信用の裏側をセパレーターにて帖り付けてなる送返信兼備の往復式郵送用封筒であるから、従来の往復式封筒よりも優れた返信用の封筒を簡単容易に作成することが可能となる。
【０００９】
なお、本実施例では郵送用封筒について説明されているが、タックス紙などの送信用と返信用にも利用することも可能となる。
【００１０】
【実施例】
以下、図面に従って本発明の送返信兼備の往復式郵送方法とその使用封筒の実施例について説明する。
【００１１】
図１（ａ）から図１（ｃ）は本発明の往復式郵送方法に使用される封筒を示したものであり、１はその往復式封筒本体である。この往復式封筒本体１は、送信宛名Ａを表記する表側２と返信宛名Ｂを表記する裏側３とから構成されている。更に、裏側３の一端には開封部４が設けられている。このように構成されている往復式封筒本体１は、図１（ｃ）で示しているように１枚の紙を中央から折り曲げ紙面に糊付部５を設けて糊付けされている。また裏側３の一端には、ミシン目７と脱着片６とを有するフラップ８が一体形成されている。
【００１２】
次に図２（ａ）から図２（ｆ）により、本発明からなる往復式封筒の使用方法について説明する。まず、図１（ａ）から図１（ｃ）に示す往復式封筒本体１の中に所望の書面Ｓを入れてフラップ８を内側に折り曲げて裏側３の線面を糊付けして送信する。その際、フラップ８の先端部は裏側３の内側に糊付けされる。ついで、送信先に往復式封筒本体１が着送されたならば裏側３の開封部４に有している半円形状の部分を手前に引き、そこに指先Ｒを差し込み左右に移動させるとフラップ８の脱着片６から裏側３が剥がれるので、この封筒部４から通知文などの書面Ｓを取り出す。ついで、取り出された書面Ｓの返信書面に所望文字を記入して返信する。返信する場合は、書面Ｓを入れた後にフラップ８の糊付けされていた脱着部６を切り剥し裏側３の上面をチューブ１０入りの糊９を用いて糊付けして郵送する。すなわち、本発明からなる往復式の封筒はいちいち表側２と裏側３とを開封せずそのままの状態でフラップ８を外側に取り出して封印することが可能となるので、簡単容易に返信用の封筒を作成することができる。
【００１３】
図３（ａ）から図（ｃ）は本発明封筒の他の実施例を示したものであり、２１は往復式封筒本体である。この往復式封筒本体２１は、基本的な構成は図１に示した往復式封筒本体１と同じであるが、開封方法と封印方法が異なるものである。その相違点は、フラップ２５に２ケ所のミシン目２４を設けている点と送信用の裏側２２に内側片２３が設けられている点である。すなわち、送信用の裏側（図示せず）の先端部分にミシン目２４入りのクラップ２５を一体形成し、一方返信用の裏側２２の先端部分にフラップ８よりも小さな内側片２３が一体形成されている。このように構成されている往復式封筒本体２１を用いて返信する場合は、返信用宛名Ｐが記入（返信用の文字）されている部分を残してミシン目２４からクラップ２５を切り剥がし、更にフラップ２５全体のミシン目２４からフラップ２５を切り取り表側の先端に有する内側片２３を表側にして糊付けして郵送する。なお、本実施例ではフラップ２５を切り剥すのにミシン目を設けているが、ミシン目に限定されるものではなくいかなる手段でもよい。また、本実施例では原則として定形封筒を対象に説明されているが、上部又は下部が定型外の場合でも同一の作用と効果が得られる。
【００１４】
図４（ａ）から図４（ｄ）は本発明封筒の他の実施例を示したものであり、３１は往復式封筒本体３１である。この往復式封筒本体３１も図１に示した往復式封筒本体１と基本的には同じ構成になっている。この往復式封筒本体３１の特徴は、フラップ３５に２本のミシン目３４を入れ開封時にミシン目３４間の脱着片３６を両側に引きはがし、封印時にフラップ３５を糊付ける方法である。なお、フラップ３５に設けているミシン目３４は前記同様に切り剥しが可能な方法であれば、いかなる手段でもよい。
【００１５】
図５（ａ）から図５（ｃ）と図６（ａ）から図６（ｂ）は本発明封筒の他の実施例を示したものであり、基本的な構成と使用方法は前記図１（ａ）から図１（ｃ）、図４（ａ）から図４（ｄ）及び図５（ａ）から図５（ｃ）に示したものと同じである。従って、詳細な説明は省略する。すなわち、往復式郵送用封筒において前記封筒表側の上端に有するフラップ部分にミシン目を設けかつ封筒裏側の上端にフラップ部分を設けてなる送返信兼備の往復式郵送用封筒の提供と、前記封筒本体を開封しかつ裏がえしにして糊り付けてなる返信用の封筒にする送返信兼備の往復式郵送用封筒を提供するものである。なお、詳細な説明は省略する。
【００１６】
図７（ａ）から図７（ｅ）は本発明封筒の他の実施例を示したものであり、基本的な構成とその使用方法は前記図１（ａ）から図１（ｃ）、図４（ａ）から図４（ｄ）及び図５（ａ）から図５（ｃ）に示したものと同じであり、異るところは素材にビニールなどの透明材を使用した点である。すなわち、往復式郵送用封筒において、前記封筒本体の素材に透明材を用いかつ送信用の裏側上端面にフラップ部分を形成し、更にフラップ部分を切り取り返信用の裏側をセパレーターにて帖り付けてなる送返信兼備の往復式郵送用封筒を提供するものである。このような透明素材からなる封筒にすることによって、封筒に直接宛名を印刷する必要がないので同じ封筒を何回でも使用できるので経済的であるばかりか省エネにも役立つことになる。
【００１７】
【発明の効果】
本発明は、封筒の中に入れたアンケートの回答用紙やダイレクトメールで返事などを求める通知文を送信しかつ返信する郵送方法において、前記送信用封筒の上端開封部を完全に切り取らずに開封して通知文を封筒の中から取り出し、該送信用封筒を返信用の封筒として再利用すること特徴とする送返信兼備の往復式郵送方法であり、また前記の往復式郵送方法において往復式封筒本体の上端面又は側端面の裏側に開封部を設け該開封部に指先を差し込み左右に移動させてフラップ部分から裏側を剥がして開封しかつ前記フラップ部分を広げて裏側の上面に帖着してなる送返信兼備の往復式郵送方法であり、また前記の往復式郵送方法において往復式封筒本体の上端面又は側端面の裏側に開封部を設け該開封部のフラップ部分を剥し取りかつ該フラップ部分を内側に折り込み裏側を帖着してなる送返信兼備の往復式郵送方法であり、また前記の往復式郵送方法において往復式封筒本体の素材に透明材を用いかつ表側にフラップ部分を設けて裏側に帖着し該フラップ部分を開封時に開封しかつフラップ部分を切断し裏側に帖着してなる送返信兼備の往復式郵送方法である。
【００１８】
また本発明は、送信用と返信用とを兼ね備えた往復式郵送用の封筒において、前記封筒裏側の上端に指先で開封可能な半円形状の開封部を形成しかつ封筒の裏側が上面になるようにフラップ部分の上面に糊付けしてなる往復式封筒本体を設け、該封筒本体の開口部を指先を左右に移動させて開封しかつフラップ部分を糊付けして返信することを特徴とする送返信兼備の往復式郵送用封筒であり、また前記の往復式郵送用封筒において前記封筒表側の上端に有するフラップ部分にミシン目を設けかつ封筒裏側の上端にフラップ部分を設けてなる送返信兼備の往復式郵送用封筒であり、また前記の往復式郵送用封筒において前記封筒本体を開封しかつ裏がえしにして糊付けてなる返信用の封筒にするの送返信兼備の往復式郵送用封筒であり、また前記の往復式郵送用封筒において前記封筒本体の素材に透明材を用いかつ送信用の裏側上端面にフラップ部分を形成し更にフラップ部分を切り取り返信用の裏側をセパレーターにて帖り付けてなる送返信兼備の往復式郵送用封筒であるから、従来の往復式郵送方法とその使用封筒では得られない次のような多くの効果を有する。
ア、本発明からなる往復式の封筒を用いて送信と返信の郵送をすれば、簡単容易にしかも多くの手間ひまもかからずに送信用の封筒で返信することができる。
イ、また本発明の封筒を使用すれば、アンケートやダイレクトメールなどによる回答率や返信率を高めることができるので営業的に有効な郵送方法といえる。
ウ、また本発明の封筒を使用することによって、送信用の封筒をそのまま返信用の封筒として利用することができるので、廃棄ゴミによる環境問題に役立つばかりか省エネ問題にも大いに役立つことになる。
エ、また本発明の封筒はいたって構造が簡単であるから、低コストで大量生産が可能となるので経済性や実用性にも富んでいるといえる。
オ、更に本発明による封筒を用いて往復用として郵送をすれば、１通の封筒で返信用の郵便情報などを送信時には目に見えない方法で送信することができるとともに目に見える方法で送信と返信することができる。
【図面の簡単な説明】
【図１（ａ）】本発明の往復式封筒を示した説明概要図。
【図１（ｂ）】本発明の往復式封筒を示した説明概要図。
【図１（ｃ）】本発明の往復式封筒を示した説明概要図。
【図２（ａ）】図１（ａ）に示した本発明封筒の使用方法を示した説明概要図。
【図２（ｂ）】図１（ａ）に示した本発明封筒の使用方法を示した説明概要図。
【図２（ｃ）】図１（ａ）に示した本発明封筒の使用方法を示した説明概要図。
【図２（ｄ）】図１（ａ）に示した本発明封筒の使用方法を示した説明概要図。
【図２（ｅ）】図１（ａ）に示した本発明封筒の使用方法を示した説明概要図。
【図２（ｆ）】図１（ａ）に示した本発明封筒の使用方法を示した説明概要図。
【図３（ａ）】本発明の他の実施例を示した説明概要図。
【図３（ｂ）】本発明の他の実施例を示した説明概要図。
【図３（ｃ）】本発明の他の実施例を示した説明概要図。
【図４（ａ）】本発明の他の実施例を示した説明概要図。
【図４（ｂ）】本発明の他の実施例を示した説明概要図。
【図４（ｃ）】本発明の他の実施例を示した説明概要図。
【図４（ｄ）】本発明の他の実施例を示した説明概要図。
【図５（ａ）】本発明の他の実施例を示した説明概要図。
【図５（ｂ）】本発明の他の実施例を示した説明概要図。
【図５（ｃ）】本発明の他の実施例を示した説明概要図。
【図６（ａ）】本発明の他の実施例を示した説明概要図。
【図６（ｂ）】本発明の他の実施例を示した説明概要図。
【図７（ａ）】本発明の他の実施例を示した説明概要図。
【図７（ｂ）】本発明の他の実施例を示した説明概要図。
【図７（ｃ）】本発明の他の実施例を示した説明概要図。
【図７（ｄ）】本発明の他の実施例を示した説明概要図。
【図７（ｅ）】本発明の他の実施例を示した説明概要図。
【図８（ａ）】従来の往復用ハガキと往復用封筒を示した説明概要図。
【図８（ｂ）】従来の往復用ハガキと往復用封筒を示した説明概要図。
【図９】従来の往復式封筒を示した説明概要図。
【符号の説明】
１、２１、３１、４１、５１、６１、９１　往復式封筒本体
２、５２、９２　表側
３、２２、３２、４２、５４、６２、９３　裏側
４、２６、６３、６６　開封部　　　５　糊付部
６、２６、４５　脱着片
７、２４、３４、４４、９６　ミシン目
８、２５、３５、９５　フラップ
９、３７、４３、５３、５５、６５、９７　糊
１０、３８、５６　チューブ　　　２３　内側片
６４　セパレーター　　　７１　往復用ハガキ本体
７２　送信ハガキ　　　　７３　送信ハガキ
８１　返信用封筒本体　　９４　袖部
Ａ　送信宛名　　　Ｂ　返信宛名　　　Ｓ　書面
Ｒ　指先　　　Ｋ　ハサミ
【図１（ａ）】
2004091048.tif 000003
【図１（ｂ）】
2004091048.tif 000004
【図１（ｃ）】
2004091048.tif 000005
【図２（ａ）】
2004091048.tif 000006
【図２（ｂ）】
2004091048.tif 000007
【図２（ｃ）】
2004091048.tif 000008
【図２（ｄ）】
2004091048.tif 000009
【図２（ｅ）】
2004091048.tif 000010
【図２（ｆ）】
2004091048.tif 000011
【図３（ａ）】
2004091048.tif 000012
【図３（ｂ）】
2004091048.tif 000013
【図３（ｃ）】
2004091048.tif 000014
【図４（ａ）】
2004091048.tif 000015
【図４（ｂ）】
2004091048.tif 000016
【図４（ｃ）】
2004091048.tif 000017
【図４（ｄ）】
2004091048.tif 000018
【図５（ａ）】
2004091048.tif 000019
【図５（ｂ）】
2004091048.tif 000020
【図５（ｃ）】
2004091048.tif 000021
【図６（ａ）】
2004091048.tif 000022
【図６（ｂ）】
2004091048.tif 000023
【図７（ａ）】
2004091048.tif 000024
【図７（ｂ）】
2004091048.tif 000025
【図７（ｃ）】
2004091048.tif 000026
【図７（ｄ）】
2004091048.tif 000027
【図７（ｅ）】
2004091048.tif 000028
【図８（ａ）】
2004091048.tif 000029
【図８（ｂ）】
2004091048.tif 000030
【図９】
2004091048.tif 000031